(57)【要約】      （修正有）【課題】外枠部から収容部を引き出して収容部内のプレパラートを取り出す場合において、プレパラートが外枠部と衝突しても損傷することなく容易に取り出すことができる、安全性が高いプレパラート収納ケースを提供する。【解決手段】上方が開口された方形状の収容部２が、一の側方に開口部を有する方形状の外枠部３の中に挿入された引き出し式のプレパラート収納ケース１であって、収容部２の前壁部にはプレパラートの保護シート２ａが該前壁部の上部から後壁部の方向に向かって延設されており、保護シート２ａは可撓性を有する。【選択図】図４
0003201118.tif 000002
【実用新案登録請求の範囲】
【請求項１】
上方が開口された方形状の収容部が、一の側方に開口部を有する方形状の外枠部の中に挿入された引き出し式のプレパラート収納ケースであって、
前記収容部の前壁部にはプレパラートの保護シートが該前壁部の上部から後壁部の方向に向かって延設されており、
前記保護シートは可撓性を有することを特徴とするプレパラート収納ケース。
【請求項２】
保護シートは収容部とは別体に形成されており、
前記保護シートの一端側には固定部が連設されており、
前記固定部は収容部の前壁部に固定可能であることを特徴とする請求項１に記載のプレパラート収納ケース。
【請求項３】
収容部内には該収容部を幅方向に区切る仕切りが設けられているとともに、保護シートに連設される固定部の下端には前記仕切りを跨ぐ切欠きが設けられていることを特徴とする請求項２に記載のプレパラート収納ケース。
【請求項４】
収容部の前壁部に前記固定部を収納可能なポケット部が設けられていることを特徴とする請求項２又は３に記載のプレパラート収納ケース。
【請求項５】
収容部の前壁部に前記固定部を挟持可能なクリップ部が設けられていることを特徴とする請求項２乃至４のいずれかに記載のプレパラート収納ケース。
【請求項６】
保護シートが軟質材料からなることを特徴とする請求項１乃至５のいずれかに記載のプレパラート収納ケース。
【請求項７】
保護シートの先端に錘が設けられていることを特徴とする請求項１乃至６のいずれかに記載のプレパラート収納ケース。
【請求項８】
収容部の底板下面に設けられたストッパー片と外枠部の底板上面に設けられたストッパー片とからなる飛び出し防止機構を備えたことを特徴とする請求項１乃至７のいずれかに記載のプレパラート収納ケース。
【考案の詳細な説明】
【技術分野】
【０００１】
本考案は、病理組織等の生物標本の薄片が固定された顕微鏡観察用のプレパラートを収納するプレパラート収納ケースに係り、特に、飛び出し防止機能を解除するために収容部を持ち上げた際にも、プレパラートが外枠部と衝突して破損する事故を防ぐことができるプレパラート収納ケースに関する。
【背景技術】
【０００２】
生物組織、例えば病理組織の検査は、患者の患部より切除した組織を通常、カセットと称される多数の透孔を有する容器内に入れ、ホルマリン液等により薬液処理した後、包埋トレイと称される容器内に薬液処理した組織を入れた後、包埋トレイの上にカセットを載せ、カセットの上方から溶融パラフィンを包埋トレイ内に流下させ、カセット底部の外側に、組織を包埋したパラフィンブロックが付着した所謂包埋ブロックとされる。この包埋ブロックは、ミクロトームと称される装置の上に組織を包埋するパラフィンブロックを上にして固定された後、薄切りし、切り出した組織片をスライドガラスに載せ、染色を施してカバーガラスを被せ、得られたプレパラートは顕微鏡で観察される。
【０００３】
上記のようにして作成したプレパラートは、再検査の際などに利用できるように、プレパラート収納ケースに収納して保管される。そして、病理組織を再度、観察したい場合、プレパラート収納ケースから所定のプレパラートを取り出して顕微鏡で観察される。
【０００４】
包埋ブロックやスライドガラス（プレパラート）などの試料を整理するための収納ケースとして、本出願人は収容部の底板下面に突設されたストッパー片Ａと、前記外枠部の底板上面に突設されたストッパー片Ｂを衝合させることにより、たとえ地震等による横揺れがあった場合でもプレパラートを収容した収容部が不意に飛び出すのを防止できる収納ケース提案済みである（特許文献１）。
このような収納ケースにおいて、収容部内のプレパラートを取り出す場合には、ストッパー片Ａと外枠部のストッパー片Ｂが衝合するまで収容部を引っ張り、その後に収容部を少し持ち上げてストッパー片Ａがストッパー片Ｂを乗り越えさせてさらに引っ張って収容部を外枠部から引き出してプレパラートを取り出す、という操作が必要になる。
【先行技術文献】
【特許文献】
【０００５】
【特許文献１】特開２０１０−２４９７６５号公報
【考案の概要】
【考案が解決しようとする課題】
【０００６】
上記特許文献１に記載の収納ケースは地震等の際にも不意に収容部が飛び出したりせず、かつプレパラートを取り出したい場合には容易に収容部を引き出すことができる点で極めて安全性に優れたものである。しかしながら、収容部を引き出す際には該収容部を一旦持ち上げる必要があるため、その際に収容部内のプレパラートが外枠部と衝突し、プレパラートの縁部が破損する場合がある。
【０００７】
このような不都合を防止するため、特許文献１において、本願出願人は取っ手孔に指を挿入してから持ち上げ、指先の感覚で持ち上げすぎを感知する収納ケースを提案している。しかしながら、このような方式では例えば収容部の前面にネームプレートを設ける位置が制限されたり、収容部前壁の形状が制限されたりするなど、収納ケースの形状を自由に設計することができない。また、指が怪我等により取っ手孔に挿入できない場合には使用できないという問題を含んでいる。
【０００８】
本考案はかかる実情に鑑み、従来技術の上記問題点を解消し、指先の感覚に頼らずにプレパラートの破損を防止することができる、安全性に優れたプレパラート収納ケースを提供することを課題とする。
【課題を解決するための手段】
【０００９】
上記目的を達成するために、本考案の特徴は、上方が開口された方形状の収容部が、一の側方に開口部を有する方形状の外枠部の中に挿入された引き出し式のプレパラート収納ケースであって、前記収容部の前壁部にはプレパラートの保護シートが該前壁部の上部から後壁部の方向に向かって延設されており、前記保護シートは可撓性を有するプレパラート収納ケースを内容とする。
【００１０】
本考案の別の特徴は、保護シートは収容部とは別体に形成されており、前記保護シートの一端側には固定部が連設されており、前記固定部は収容部の前壁部に固定可能である上記のプレパラート収納ケースを内容とする。
【００１１】
本考案のさらに別の特徴は、収容部内には該収容部を幅方向に区切る仕切りが設けられているとともに、保護シートに連設される固定部の下端には前記仕切りを跨ぐ切欠きが設けられている上記のプレパラート収納ケースを内容とする。
【００１２】
本考案のさらに別の特徴は、収容部の前壁部に前記固定部を収納可能なポケット部が設けられている上記のプレパラート収納ケースを内容とする。
【００１３】
本考案のさらに別の特徴は、収容部の前壁部に前記固定部を挟持可能なクリップ部が設けられている上記のプレパラート収納ケースを内容とする。
【００１４】
本考案のさらに別の特徴は、保護シートが軟質材料からなる上記のプレパラート収納ケースを内容とする。
【００１５】
本考案のさらに別の特徴は、保護シートの先端に錘が設けられている上記のプレパラート収納ケースを内容とする。
【００１６】
本考案のさらに別の特徴は、収容部の底板下面に設けられたストッパー片と外枠部の底板上面に設けられたストッパー片とからなる飛び出し防止機構を備えた上記のプレパラート収納ケースを内容とする。
【考案の効果】
【００１７】
本考案によるプレパラート収納ケースは、可撓性を有する保護シートが収容部の前壁部の上部から後壁部の方向に向かって延設されているため、収容部を持ち上げてプレパラートが外枠部に衝突した場合でも、保護シートがその衝撃を吸収し、不快な衝突音が生じることがなく、またプレパラートの破損が防止されるので極めて安全である。
【００１８】
一端側に固定部が連設された保護シートを収容部と別体に形成すれば、保護シートを容易に新しいものに取り替えることができる。
【００１９】
収容部内が幅方向に区切る仕切りが設けられている場合に、保護シートの固定部下端に仕切りを跨ぐ切欠きを設け、該固定部を仕切りを有する収容部前壁部に固定すれば、仕切り及び切欠きが位置決めのように機能するため、保護シートを正確な位置に安定的に設置することができる。
【００２０】
収容部の前壁部に保護シートの固定部を収納可能なポケット又は挟持可能なクリップ部を設ければ、保護シートを容易に設置することができる。
【００２１】
保護シートが軟質材料からなる場合は、緩衝作用に優れているばかりでなく、保護シートの先端部が自重で下方に撓み垂れるので、収容部を外枠部内に挿入する際に保護シートが自動的に外枠部内に納まるので作業性が良好である。
【００２２】
保護シートの先端に錘りを設けると、保護シートの可撓性が小さい場合であっても、先端部が下方に垂れるので収容部を外枠部内に挿入する際に保護シートを確実に外枠部内に収めることができる。
【００２３】
プレパラート収納ケースとしては、特に、収容部の底板下面に設けられたストッパー片と外枠部の底板上面に設けられたストッパー片とからなる飛び出し防止機構を備えたプレパラート収納ケースが好適である。
【図面の簡単な説明】
【００２４】
【図１】図１は本考案のプレパラート収納ケースの一例を示す斜視図である。
【図２】図２（ａ）は図１の外枠部のＡ−Ａ断面図であり、図２（ｂ）は図１の収容部のＡ−Ａ断面図である。
【図３】図３は図２（ｂ）の収容部の底板下面を示す底面図である。
【図４】図４（ａ）（ｂ）（ｃ）（ｄ）は本考案のプレパラート収納ケースの使用方法を示す説明図である。
【図５】図５（ａ）は本考案の保護シートの一例を示す平面図であり、（ｂ）は保護シートの別例を示す平面図、（ｃ）は保護シートを収容部に装着した状態を示す概略図である。
【図６】図６（ａ）は収容部の前壁部に設けたポケット部により保護シートの固定部を固定した例を示した概略説明断面図であり、（ｂ）はクリップ部により保護シートの固定部を挟持した例を示した概略説明断面図である。
【考案を実施するための形態】
【００２５】
本考案のプレパラート収納ケース１は、例えば図１乃至図３に示した如く、上方が開口された方形状（典型的には直方体状、以下同じ）の収容部２が、一の側方に開口部３ａを有する方形状の外枠部３の中に挿入された引き出し式のプレパラート収納ケース１であって、前記収容部２の前壁部２ｂにはプレパラートＰの保護シート２ａが該前壁部２ｂの上部から後壁部の方向に向かって延設されており、前記保護シート２ａは可撓性を有することを特徴とする。
【００２６】
本考案で使用する外枠部３は、プレパラートＰを収納した収容部２を収容可能な方形状の箱形部材である。この外枠部３は一の側方に開口部３ａが設けられており、図１に示すように、その開口部３ａから収容部２を引き出し状に出し入れできるように構成されている。
また収容部２はプレパラートＰを収納可能な方形状の箱形部材である。この収容部２は上方が開口されており、その開口からプレパラートＰを収納又は取り出しできるようになっている。
なお、プレパラートＰは一般にかなり小さく、また数が多いので、これらを整理して収納しやすいように、通常は、一個の外枠部３内に数個の細長い収容部２が収容されるように構成されている。
【００２７】
本考案は、地震等の横揺れの際にも収容部２が飛び出さないように構成され、収容部３を持ち上げることにより飛び出し防止機能を解除できるプレパラート収納ケースに対して、特に好適である。
具体的な例としては、例えば、図２に示すように、収容部２の底板下面に設けられたストッパー片４ａ及び外枠部３の底板上面に設けられたストッパー片４ｂからなる飛び出し防止機構であって、地震等により収容部２に横向きの応力が加わった場合にはストッパー片４ａとストッパー片４ｂが衝合して飛び出しが防止されるようなプレパラート収納ケースが挙げられる。
尚、４ｃは、収容部２を外枠部３から引き出す際に収容部２が完全に引き出されて外枠部３から転落するのを防止するためのアラーム機構のための後端指示部で、波形状の突起からなる。この後端指示部４ｃは、収容部２が外枠部３から引き出される手前で、外枠部３の底板上面のストッパー片４ｂに乗り上げガタガタという音と振動により収容部２が引き出され転落する直前にアラームを発し転落を防止するためのものである。
【００２８】
収容部２の前壁部２ｂには、収容部２を引き出しやすくするための取っ手を設けるのが好ましい。本考案において、取っ手の形状は特に限定されない。
【００２９】
上述したような、ストッパー片４ａとストッパー片４ｂを設けて収容部２の飛び出し防止を図ったプレパラート収納ケース１の使用方法を図４に基づいて説明する。
本考案のプレパラート収納ケース１において、通常、図４（ａ）に示したように、収容部２は外枠部３の奥まで挿入収容されている。通常の地震などにより不意に収容部２に横向きの応力が加わった場合、収容部２のストッパー片４ａと外枠部３のストッパー片４ｂとが衝合するので、収容部２の飛び出しを防止することができる。
収容部２に収納されたプレパラートを取り出す場合、図４（ｂ）に示したように、収容部２を僅かに引き出して収容部２のストッパー片４ａと外枠部３のストッパー片４ｂとを衝合させ、図４（ｃ）に示したように、収容部２の手前側を上方に持ち上げてストッパー片４ａがストッパー片４ｂを乗り越えるようにすれば、図４（ｄ）に示したように、収容部２を最後まで引き出すことができる。本例ではアラーム機構を有するので、収容部２を最後まで引き出す直前には、上記したようにアラームが発せられ、収容部２の転落が防止される。
【００３０】
上述のようなプレパラート収納ケースにおいて、収容部２を引き出すために収容部２の手前側を持ち上げる際、収容部２に収容されたプレパラートＰが外枠部３の開口部３ａの上縁３ｂと衝突し、不快な衝突音を発てたり、破損する等の不都合が生じる場合がある。
本考案においては、このような不都合を避けるために、収容部２の前壁部２ｂに保護シート２ａが設けられている。保護シート２ａは前記前壁部２ｂの上部から後壁部２ｆの方向に向かって延設されており、収容部２内に収容されるプレパラートＰの上面の少なくとも一部、即ち、収容部２の手前側を上方に持ち上げてストッパー片４ａとストッパー片４ｂとの係合を解く際にプレパラートＰが外枠部２の開口部上縁３ｂと衝突する部分を少なくとも覆うように設けられている。保護シート２ａを自重により下方に垂れさせると、保護シート２ａを収容部２内に納めた状態で外枠部３内に挿入できるので少し長目に設計することが好ましく、保護シート２ａの材質にもよるが、５〜１０ｃｍ程度とするのが好ましい。一方、保護シート２ａの幅については、プレパラートＰと同程度か少し大き目とするのがの好ましい。この保護シート２ａが衝撃を緩和するので、収容部２を持ち上げた場合でも、プレパラートＰが外枠部３の開口部３ａの上縁３ｂと衝突して不快な音を発てたり、プレパラートＰが破損するというトラブルが防止される。
【００３１】
保護シート２ａは収容部２と一体的に設けることもできるが、収容部２とは別体の保護シート５に形成するほうが好ましい。別体の保護シート５とした場合、使用中に破損したり汚れたりした際に容易に交換することができるので便利である。
保護シート５の形態は特に限定されないが、例えば図５に示すように、保護シート５はプレパラートＰを保護する保護部５ａの一端側に固定部５ｂを連設し、この固定部５ｂを収容部２の前壁部２ｂに固定できるようにする形態が例示できる。
【００３２】
収容部２の内部を幅方向に区切る仕切りが設けられている場合には、図５（ａ）に示すように、保護シート５の固定部５ｂには前記仕切りを跨ぐ切欠き５ｃを設ければよい。このようにすれば、図５（ｃ）に示すように、収容部２の仕切り２ｅが保護シート５の切欠き５ｃと嵌合するため、保護シート５の位置決めが容易になり、また安定的に装着することができる。なお、図５に示した例においては切欠き５ｃの数は一つであるが、仕切り２ｅが２列以上ある場合には切欠き５ｃの数も仕切り２ｅの数と同数とすればよい。
【００３３】
保護シート５の固定部５ｂを収容部２の前壁部２ｂの内面に固定する際には、固定部５ｂと保護部５ａの境界に折目又は折癖５ｅをつけて略直角又は僅かに鋭角に曲げ保護シート５の先端が下方に垂れるようにしておくのが好ましい。折目又は折癖５ｅが不十分な場合には保護シート５が上側に跳ね上がって、収容部２を保護シート５とともに外枠部３内に収容しにくくなる場合がある。このような不都合を解消するため、図５（ｂ）に示すように、保護シート５の先端には錘５ｄを設けてもよい。これらの折癖５ｅや錘５ｄについては、前記した保護シート２ａの場合にも適用することができる。更に、予め固定部５ｂと保護シート５ａとを略垂直又は僅かに鋭角に成形しておくのも好ましい。
【００３４】
保護シート５を収容部２に取り付ける方法は特に限定されないが、接着剤や粘着剤等を用いて固定部５ａを前壁部２ｂの内面側に貼り付ける方法が容易である。但し、保護シート５の取り替えを容易にするためには、例えば図６（ａ）に示すように、前壁部２ｂの内面側にポケット部２ｃを設けて、固定部５ａをポケット部２ｃの中に収納する方法が例示できる。あるいは、例えば図６（ｂ）に示すように、前壁部２ｂの内面側にクリップ部２ｄを設けて、固定部５ａをクリップ部２ｄと前壁部２ｂの間で挟持する方法でもよい。また、簡易な方法としては、付箋に使用されるような繰り返し粘着力を発揮する粘着剤により固定部５ａを前壁部２ａの内面側に粘着固定してもよい。
【００３５】
保護シート２ａや保護シート５の材質は特に限定されないが、可撓性材料又は軟質材料が好ましく、紙、樹脂、ゴム、不織布等が挙げられる。これらの中では、軽量で成形しやすく、十分な緩衝力を有する点で、紙製、軟質の樹脂や発泡樹脂製、ゴム製とするのが特に好ましい。本考案で使用できる樹脂としては、具体的には、ポリエチレン、ポリプロピレン等のポリオレフィン樹脂、酢酸ビニル樹脂、ポリウレタン樹脂、ＡＢＳ樹脂、ＡＥＳ樹脂、塩化ビニル樹脂、ポリアミド（ナイロン）樹脂、ポリエステル樹脂等の熱可塑性樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。これらの中で、紙、軟質ポリエチレン、軟質塩化ビニル樹脂、発泡ポリウレタンのシート等が好ましい。また、透明のシートを用いると、保護シートの上からプレパラートが視認できるので好ましい。
保護シート２ａや保護シート５の厚さも十分な緩衝力を得られる限り特に限定されないが、０．１〜２ｍｍ程度が好ましく、より好ましくは０．２〜１ｍｍ程度で、素材の緩衝性や軟質性等を勘案して決定すればよい。
【産業上の利用可能性】
【００３６】
叙上のとおり、本考案のプレパラート収納ケースによれば、収容部内のプレパラートと外枠部が衝突した場合でも、保護シートにより衝撃が緩和されるため、衝突による不快な音を軽減又は防止することができ、さらにプレパラートの破損を防止することができる。従って、安全性が高いプレパラート収納ケースを提供することができる。
【符号の説明】
【００３７】
１  プレパラート収納ケース
２  収容部
２ａ  保護シート
２ｂ  前壁部
２ｃ  ポケット部
２ｄ  クリップ部
２ｅ  仕切り
２ｆ  後壁部
３  外枠部
３ａ  開口部
３ｂ  開口部の上縁
４ａ  ストッパー片
４ｂ  ストッパー片
４ｃ  後端指示部
５  保護シート
５ａ  保護部
５ｂ  固定部
５ｃ  切欠き
５ｄ  錘
５ｅ  折目又は折癖
Ｐ  プレパラート
【図１】
0003201118.tif 000003
【図２】
0003201118.tif 000004
【図３】
0003201118.tif 000005
【図４】
0003201118.tif 000006
【図５】
0003201118.tif 000007
【図６】
0003201118.tif 000008